(57)【要約】  表示制御システムは、端末におけるコンテンツの表示態様に関して当該端末に設定されている設定情報を取得する取得手段と、前記端末と物理的に異なる表示装置に表示させる少なくとも一部のコンテンツの表示態様を前記設定情報に基づいて設定し、前記表示装置に該コンテンツを表示させる表示制御手段と、を備える。これにより、端末のユーザの手間を要さずに、そのユーザに合う表示態様のコンテンツを表示装置に表示させることが可能となる。
2016147383.tif 000002
【特許請求の範囲】
【請求項１】
端末におけるコンテンツの表示態様に関して当該端末に設定されている設定情報を取得する取得手段と、
前記端末と物理的に異なる表示装置に表示させる少なくとも一部のコンテンツの表示態様を前記設定情報に基づいて設定し、前記表示装置に該コンテンツを表示させる表示制御手段と、
を備える表示制御システム。
【請求項２】
前記表示制御手段は、ユーザによる前記端末の操作によって、前記表示装置に表示されている第１のコンテンツに関連付けて表示される第２のコンテンツを表示する場合に、当該第２のコンテンツを前記設定情報に基づいて変更した表示態様で表示させる、
請求項１に記載の表示制御システム。
【請求項３】
前記表示制御手段は、前記第１のコンテンツ、前記第２のコンテンツ及び前記第１のコンテンツに関連付けられたコンテンツであって前記表示装置に表示させる対象ではない第３のコンテンツのうちの少なくとも一つのコンテンツの表示態様を、前記設定情報に基づく表示態様に設定し、
前記表示制御手段により表示態様を設定された第１のコンテンツ、第２のコンテンツ及び第３のコンテンツのうちの少なくとも一つのコンテンツを前記端末に送信する送信手段を更に備える、
請求項２に記載の表示制御システム。
【請求項４】
前記取得手段は、前記端末から送信されるウェブページの取得の要求と共に前記端末から送信される設定情報を取得し、
前記設定情報に応じて表示態様が設定されたウェブページが前記要求に応じて前記端末に提供される、
請求項１〜３のいずれか一項に記載の表示制御システム。
【請求項５】
前記取得手段により、前記端末から第１の設定情報が取得され、前記端末から取得されたユーザの識別情報に基づき該識別情報に対応付けられた第２の設定情報が取得された場合に、
前記表示制御手段は、予め設定された表示態様の選択に関する条件に基づいて、前記第１の設定情報に基づく表示態様及び前記第２の設定情報に基づく表示態様のいずれかの表示態様でコンテンツを表示させる、
請求項１〜４のいずれか一項に記載の表示制御システム。
【請求項６】
前記取得手段は、複数の端末の各々から前記設定情報を取得し、
前記表示制御手段は、前記複数の設定情報に示される複数の表示態様のうち最も多い表示態様でコンテンツを前記表示装置に表示させる、
請求項１〜５のいずれか一項に記載の表示制御システム。
【請求項７】
前記取得手段は、複数の端末の各々から前記設定情報を取得し、
前記表示制御手段は、複数のコンテンツを前記表示装置に表示させ、前記複数のコンテンツの表示態様は、取得された複数の設定情報に含まれる各表示態様の割合に基づいて設定される、
請求項１〜５のいずれか一項に記載の表示制御システム。
【請求項８】
前記設定情報により特定される表示態様は、コンテンツを表す言語に関する、
請求項１〜７のいずれか一項に記載の表示制御システム。
【請求項９】
表示制御システムにおける表示制御方法であって、
端末におけるコンテンツの表示態様に関して当該端末に設定されている設定情報を取得する取得ステップと、
前記端末と物理的に異なる表示装置に表示させる少なくとも一部のコンテンツの表示態様を前記設定情報に基づいて設定し、前記表示装置に該コンテンツを表示させる表示制御ステップと、
を有する表示制御方法。
【請求項１０】
コンピュータを表示制御システムとして機能させるための表示制御プログラムであって、
前記コンピュータに、
端末におけるコンテンツの表示態様に関して当該端末に設定されている設定情報を取得する取得機能と、
前記端末と物理的に異なる表示装置に表示させる少なくとも一部のコンテンツの表示態様を前記設定情報に基づいて設定し、前記表示装置に該コンテンツを表示させる表示制御機能と、
を実現させる表示制御プログラム。
【発明の詳細な説明】
【技術分野】
【０００１】
本発明の一側面は、表示制御システム、表示制御方法及び表示制御プログラムに関する。
【背景技術】
【０００２】
複数の人が視聴可能な環境に表示装置を設け、コンテンツを表示装置に表示させることが行われている。このような表示装置にコンテンツを表示させるシステムは、例えば、デジタルサイネージと称され、複数の商品広告等の表示に用いられる。複数のユーザが一つの映像を同時に視聴する環境下において、各ユーザの要求に個別に対応するために、映像に対応する字幕等を各ユーザの端末に同期表示させる技術が知られている（例えば、特許文献１参照）。
【先行技術文献】
【特許文献】
【０００３】
【特許文献１】特開２０１４−１４０１３５号公報
【発明の概要】
【発明が解決しようとする課題】
【０００４】
デジタルサイネージにコンテンツを表示させる場合に、言語等の表示態様を、コンテンツを視聴するユーザに合わせたいという要請がある。しかしながら、コンテンツを視聴するユーザが表示態様を変更するための操作を行うのは手間がかかる。また、コンテンツがユーザに会った態様で表示されていないことに起因して、そのユーザがコンテンツに対する興味を持たず、コンテンツがユーザに視聴されないおそれがある。【０００５】
そこで本発明の一側面は、複数のユーザが視聴可能な表示装置に表示されるコンテンツを、ユーザの負担なくユーザに合う表示態様で表示させることを目的とする。
【課題を解決するための手段】
【０００６】
上記課題を解決するために、本発明の一形態に係る表示制御システムは、端末におけるコンテンツの表示態様に関して当該端末に設定されている設定情報を取得する取得手段と、端末と物理的に異なる表示装置に表示させる少なくとも一部のコンテンツの表示態様を設定情報に基づいて設定し、表示装置に該コンテンツを表示させる表示制御手段と、を備える。【０００７】
本発明の一形態に係る表示制御方法は、表示制御システムにおける表示制御方法であって、端末におけるコンテンツの表示態様に関して当該端末に設定されている設定情報を取得する取得ステップと、端末と物理的に異なる表示装置に表示させる少なくとも一部のコンテンツの表示態様を設定情報に基づいて設定し、表示装置に該コンテンツを表示させる表示制御ステップと、を有する。【０００８】
本発明の一形態に係る表示制御プログラムは、コンピュータを表示制御システムとして機能させるための表示制御プログラムであって、コンピュータに、端末におけるコンテンツの表示態様に関して当該端末に設定されている設定情報を取得する取得機能と、端末と物理的に異なる表示装置に表示させる少なくとも一部のコンテンツの表示態様を設定情報に基づいて設定し、表示装置に該コンテンツを表示させる表示制御機能と、を実現させる。【０００９】
上記側面によれば、端末に表示されるコンテンツの表示態様に関して当該端末に設定されている設定情報が取得され、取得された設定情報に基づく表示態様のコンテンツが表示装置に表示される。これにより、端末のユーザの手間を要さずに、そのユーザに合う表示態様のコンテンツを表示装置に表示させることが可能となる。【００１０】
別の側面に係る表示制御システムでは、表示制御手段は、ユーザによる端末の操作によって、表示装置に表示されている第１のコンテンツに関連付けて表示される第２のコンテンツを表示する場合に、当該第２のコンテンツを設定情報に基づいて変更した表示態様で表示させることとしてもよい。【００１１】
上記側面によれば、第２のコンテンツの表示態様が、取得された設定情報に基づく表示態様に変更されるので、ユーザの負担なく第２のコンテンツをユーザに合う表示態様で表示させることが可能となる。【００１２】
さらに別の側面に係る表示制御システムでは、表示制御手段は、第１のコンテンツ、第２のコンテンツ及び第１のコンテンツに関連付けられたコンテンツであって表示装置に表示させる対象ではない第３のコンテンツのうちの少なくとも一つのコンテンツの表示態様を、設定情報に基づく表示態様に設定し、表示制御手段により表示態様を設定された第１のコンテンツ、第２のコンテンツ及び第３のコンテンツのうちの少なくとも一つのコンテンツを端末に送信する送信手段を更に備えることとしてもよい。【００１３】
この側面によれば、ユーザの端末に表示させるコンテンツの表示態様が設定情報に基づいて設定されるので、ユーザに合う表示態様のコンテンツをユーザの負担なく端末に表示させることが可能となる。【００１４】
さらに別の側面に係る表示制御システムでは、取得手段は、端末から送信されるウェブページの取得の要求と共に端末から送信される設定情報を取得し、設定情報に応じて表示態様が設定されたウェブページが要求に応じて前記端末に提供されることとしてもよい。【００１５】
上記側面によれば、端末に提供されるウェブページの言語を特定するための情報を、表示装置に表示させるコンテンツの表示態様を特定するための設定情報として流用できる。【００１６】
さらに別の側面に係る表示制御システムでは、取得手段により、端末から第１の設定情報が取得され、端末から取得されたユーザの識別情報に基づき該識別情報に対応付けられた第２の設定情報が取得された場合に、表示制御手段は、予め設定された表示態様の選択に関する条件に基づいて、第１の設定情報に基づく表示態様及び第２の設定情報に基づく表示態様のいずれかの表示態様でコンテンツを表示させることとしてもよい。【００１７】
この側面によれば、第１及び第２の設定情報が取得された場合に、予め設定された表示態様の選択に関する条件に基づきコンテンツの表示態様が決定されるので、ユーザに対してより適切である蓋然性が高い表示態様でコンテンツを表示させることが可能となる。【００１８】
さらに別の側面に係る表示制御システムでは、取得手段は、複数の端末の各々から設定情報を取得し、表示制御手段は、複数の設定情報に示される複数の表示態様のうち最も多い表示態様でコンテンツを表示装置に表示させることとしてもよい。【００１９】
この側面によれば、複数の端末から取得された設定情報に示される複数の表示態様のうち最も多い表示態様に、表示装置に表示されるコンテンツの表示態様が設定される。これにより、複数のユーザのうちの多くのユーザに合った表示態様でコンテンツを表示させることができる。【００２０】
さらに別の側面に係る表示制御システムでは、取得手段は、複数の端末の各々から設定情報を取得し、表示制御手段は、複数のコンテンツを表示装置に表示させ、複数のコンテンツの表示態様は、取得された複数の設定情報に含まれる各表示態様の割合に基づいて設定されることとしてもよい。【００２１】
この側面によれば、複数のコンテンツを表示装置に表示させるに際して、複数の端末から取得された設定情報に含まれる表示態様の割合が、表示される複数のコンテンツの表示態様に反映される。これにより、複数のユーザに合った表示態様でコンテンツを表示させることができる。【００２２】
さらに別の側面に係る表示制御システムでは、設定情報により特定される表示態様は、コンテンツを表す言語に関することとしてもよい。【００２３】
この側面によれば、ユーザに合った言語でコンテンツを表示させることが可能となる。
【発明の効果】
【００２４】
本発明の一側面によれば、複数のユーザが視聴可能な表示装置に表示されるコンテンツを、ユーザの負担なくユーザに合う表示態様で表示させることが可能となる。
【図面の簡単な説明】
【００２５】
【図１】本実施形態に係る表示制御システムを含むシステムの構成を示す図である。
【図２】表示制御装置の機能的構成を示すブロック図である。
【図３】表示制御装置のハードウェア構成を示す図である。
【図４】端末の機能的構成を示すブロック図である。
【図５】表示装置に表示された画面の例を示す図である。
【図６】商品情報記憶部の構成及び記憶されているデータの例を示す図である。
【図７】ユーザ情報記憶部の構成及び記憶されているデータの例を示す図である。
【図８】表示装置に表示された画面の例であって、カーソルにより商品画像が指示された状態を示す図である。
【図９】表示装置に表示された画面の例であって、商品レビューが商品画像に関連付けられて表示されている状態を示す図である。
【図１０】端末の端末情報記憶部の構成及び記憶されているデータの例を示す図である。
【図１１】表示制御方法の処理内容の例を示すフローチャートである。
【図１２】表示制御方法の処理内容の他の例を示すフローチャートである。
【図１３】表示制御プログラムの構成を示す図である。
【発明を実施するための形態】
【００２６】
以下、添付図面を参照しながら本発明の実施形態を詳細に説明する。なお、図面の説明において同一又は同等の要素には同一の符号を付し、重複する説明を省略する。
【００２７】
図１は、本実施形態に係る表示制御装置１を含むシステムの構成を示す図である。図１に示すように、表示制御装置１は、ネットワークＮを介して、ウェブサーバ３及び複数の端末Ｔ１〜Ｔ３と接続されている。また、表示制御装置１は、表示装置５にコンテンツを表示させることができる。
【００２８】
本実施形態では、表示制御装置１及びウェブサーバ３により、表示装置５に表示させるコンテンツの表示制御等を行う表示制御システムが構成されるが、表示制御システムの装置構成は本実施形態の態様に限定されない。例えば、表示制御システムは、ウェブサーバ３を含まずに表示制御装置１のみで構成されることとしてもよい。
【００２９】
ウェブサーバ３は、端末Ｔのウェブブラウザにコンテンツを提供する機能を有する。本実施形態では、ウェブサーバ３は、端末Ｔにおけるカーソル等の指示入力を表示制御装置１に送信する機能、及び表示制御装置１からのコンテンツを端末Ｔに送信する機能を有する。
【００３０】
表示装置５は、複数の端末Ｔのユーザが視聴可能な場所に設けられる装置であって、例えば、デジタルサイネージを構成する。デジタルサイネージは、画像及び文字等の情報を表示して、多くのユーザに情報を提供するためのものである。本実施形態では、表示装置５により構成されるデジタルサイネージは、端末Ｔのユーザに種々の情報を提供する。
【００３１】
端末Ｔは、ユーザにより所持される装置であって、ウェブサーバ３を介して、コンテンツに対する指示入力を表示制御装置１に送信する。また、端末Ｔは、表示制御装置１からウェブサーバ３を介して提供されたコンテンツを画面に表示させる。
【００３２】
端末Ｔは、例えば高機能携帯電話機（スマートフォン）により構成されるが、端末Ｔを構成する装置は限定されず、例えば携帯電話機、携帯情報端末（ＰＤＡ）などの携帯端末、据置型又は携帯型のパーソナルコンピュータでもよい。なお、図１では、３台の端末Ｔ１〜Ｔ３が示されているが、端末Ｔの数はこれに限定されない。
【００３３】
図２は、表示制御装置１の機能的構成を示すブロック図である。表示制御装置１は、例えば、サーバにより構成される。
【００３４】
本実施形態の表示制御装置１は、図２に示すように、機能的には、取得部１１（取得手段）、表示制御部１２（表示制御手段）、指示取得部１３及び送信部１４（送信手段）を備える。また、表示制御装置１の各機能部は、商品情報記憶部２１、ユーザ情報記憶部２２及び履歴情報記憶部２３といった記憶手段にアクセス可能である。各記憶部２１〜２３は、表示制御装置１によりネットワークＮを介してアクセスされることとしてもよいし、表示制御装置１内に設けられることとしてもよい。
【００３５】
図３は、表示制御装置１のハードウェア構成図である。表示制御装置１は、物理的には、図３に示すように、プロセッサにより構成されるＣＰＵ１０１、ＲＡＭ及びＲＯＭといったメモリにより構成される主記憶装置１０２、ハードディスク等で構成される補助記憶装置１０３、ネットワークカード等で構成される通信制御装置１０４、入力デバイスであるキーボード、マウス等の入力装置１０５、ディスプレイ等の出力装置１０６などを含むコンピュータシステムとして構成されている。
【００３６】
図２に示した各機能は、図３に示すＣＰＵ１０１、主記憶装置１０２等のハードウェア上に所定のコンピュータソフトウェア（表示制御プログラム）を読み込ませることにより、ＣＰＵ１０１の制御のもとで通信制御装置１０４、入力装置１０５、出力装置１０６を動作させるとともに、主記憶装置１０２や補助記憶装置１０３におけるデータの読み出し及び書き込みを行うことで実現される。処理に必要なデータやデータベースは主記憶装置１０２や補助記憶装置１０３内に格納される。
【００３７】
図４は、端末Ｔの機能的構成を示すブロック図である。端末Ｔは、指示入力受付部３１、指示情報送信部３２、設定情報送信部３３、コンテンツ受信部３４、表示制御部３５及び端末情報記憶部３６を備える。
【００３８】
まず、本実施形態の表示制御システムを概略的に説明する。本実施形態の表示制御システムでは、表示制御装置１は、デジタルサイネージを構成する表示装置５に複数の商品画像を表示させる。具体的には、表示制御部１２は、商品情報記憶部２１に記憶されている商品情報の商品画像を複数取得して、表示装置５に表示させる。図５は、表示装置５に表示された画面の例を示す図である。表示画面ＤＳは、例えば、複数の商品画像Ｍ、及び説明表示部ＭＸを含む。説明表示部ＭＸは、例えば、表示画面ＤＳに表示された内容全体を説明するテキスト等を含む。
【００３９】
表示装置５に表示された表示画面ＤＳを視聴しているユーザは、自分が所持する端末Ｔを用いて表示制御装置１にアクセスすることにより、表示画面ＤＳに表示された商品に関するコンテンツを表示画面ＤＳに表示させたり、端末Ｔに表示させたりすることができる。このとき、端末Ｔまたは端末Ｔのユーザごとに設定された表示態様でコンテンツを表示させる。
【００４０】
端末Ｔにおける表示制御装置１へのアクセスは、例えば端末Ｔにおいて実行されるブラウザにより実現される。端末Ｔのブラウザは、ウェブサーバ３を介して表示制御装置１に対するアクセスを行う。具体的には、端末Ｔのブラウザは、本実施形態の表示制御システムによる商品に関する情報の提供等のサービスを特定するＵＲＬにアクセスする。このＵＲＬは、種々の方法により端末Ｔに提供される。例えば、ＵＲＬを示すＱＲコード（登録商標）を表示装置５の表示画面に表示させ、表示されたＱＲコードを端末Ｔが読み取ることにより、端末ＴはＵＲＬを取得する。
【００４１】
また、ＵＲＬを表す情報が重畳された音声を、表示装置５の近傍において発生させることにより、端末ＴにＵＲＬを取得させることとしてもよい。また、端末Ｔから所定の電話番号に対するアクセスを行うと、そのアクセスに呼応してＳＭＳ（Ｓｈｏｒｔ  Ｍｅｓｓａｇｅ  Ｓｅｒｖｉｃｅ）等の通知手段により端末ＴにＵＲＬが提供されることとしてもよい。
【００４２】
また、表示装置５の近傍に存在する端末Ｔに対して、ブルートゥース（Ｂｌｕｅｔｏｏｔｈ）（登録商標）等の近距離無線通信により、ＵＲＬが提供されることとしてもよい。この場合には、端末Ｔは、近距離無線通信により表示制御装置１を識別するＩＤを取得する。そして、端末Ｔは、取得したＩＤに基づいて、当該表示制御システムに係るサービスを利用するためのアプリケーションにおいて管理されているＩＤとＵＲＬの関連付けを参照して、ＵＲＬを取得できる。
【００４３】
なお、上記説明では、端末Ｔは、ブラウザにおいて実行されるブラウザアプリケーションにより表示制御装置１に対してアクセスすることとしているが、専用のアプリケーションにより表示制御装置１に対するアクセスを行うこととしてもよい。
【００４４】
再び図２を参照して、表示制御装置１に各機能部の説明に先立って、商品情報記憶部２１、ユーザ情報記憶部２２及び履歴情報記憶部２３を説明する。
【００４５】
商品情報記憶部２１は、表示装置５に表示させる商品の情報を記憶している記憶手段である。図６は、商品情報記憶部２１の構成及び記憶されているデータの例を示す図である。図６に示すように、商品情報記憶部２１は、商品を識別する商品ＩＤに関連付けて、商品名、画像、商品レビュー、詳細情報及びキャッシュされた商品レビューを記憶している。商品名は、商品の名称である。商品画像（第１のコンテンツの一例）は、当該商品を表す画像であって、表示装置５に表示させるために用いられる。
【００４６】
商品レビュー（第２のコンテンツの一例）は、当該商品に関してユーザから投稿された商品に関するレビューである。後述するように、商品レビューは、商品画像に関連付けて表示装置５に表示される。詳細情報（第３のコンテンツの一例）は、当該商品に関する詳細な情報である。
【００４７】
また、後述するように、本実施形態の表示制御システムは、商品レビューを他の言語に翻訳して表示装置５に表示させる。そこで、商品情報記憶部２１は、翻訳された商品レビューをキャッシュとして記憶する。
【００４８】
ユーザ情報記憶部２２は、ユーザの端末Ｔにおいて実行されるアプリケーション、及びユーザの端末Ｔに対して提供されるサービス等において、端末Ｔに表示されるコンテンツの表示態様に関する設定情報を記憶している記憶手段である。図７は、ユーザ情報記憶部２２の構成及び記憶されているデータの例を示す図である。本実施形態では、ユーザ情報記憶部２２は、ユーザを識別するユーザＩＤに対応付けて、表示態様の設定情報として例えば言語に関する情報を記憶している。例えば、ユーザ情報記憶部２２は、ユーザＩＤ「ＢＢＢ」に対応付けて設定情報としての言語「Ｌ１」を記憶している。なお、表示制御装置１が設定情報を端末Ｔから取得可能な場合には、ユーザ情報記憶部２２は、本実施形態の表示制御システムにおいて必須の構成ではない。
【００４９】
履歴情報記憶部２３は、所定の電子商取引サイト（図示せず）におけるユーザの商品の購入履歴及び閲覧履歴等の履歴情報を記憶している記憶手段である。表示制御装置１は、履歴情報に基づいてユーザに提供するレコメンド情報を生成、又は、履歴情報に基づいて生成されたレコメンド情報を取得することができる。なお、履歴情報記憶部２３は、本実施形態の表示制御システムにおいて必須の構成ではない。
【００５０】
続いて、表示制御装置１の各機能部を説明する。取得部１１は、端末Ｔにおけるコンテンツの表示態様に関して当該端末Ｔに設定されている設定情報を取得する。具体的には、取得部１１は、端末Ｔにおけるコンテンツの表示態様を特定する設定情報を当該端末Ｔから取得する。この場合には、端末Ｔの設定情報送信部３３が端末情報記憶部３６から取得した設定情報を表示制御装置１に送信し、取得部１１は、設定情報送信部３３から送信された設定情報を取得する。
【００５１】
また、取得部１１は、端末Ｔから当該端末Ｔのユーザを識別するユーザＩＤを取得し、そのユーザＩＤに対応付けられた設定情報を取得することとしてもよい。この場合には、取得部１１は、ユーザ情報記憶部２２を参照して、取得したユーザＩＤに対応付けられている設定情報を取得する。
【００５２】
本実施形態では、例えば、表示制御システムによる商品に関する情報の提供等のサービスを特定するＵＲＬに端末Ｔのブラウザ（端末の表示制御手段の一例）等がアクセスしたときに、設定情報またはユーザＩＤが端末Ｔから送信される。この場合に、取得部１１は、端末ＴによるＵＲＬアクセスを契機として送信される設定情報又はユーザＩＤを取得することとしてもよい。
【００５３】
また、取得部１１は、例えばブルートゥースといった所定の近距離無線通信により端末Ｔとの通信が確立されたときに、その近距離無線通信を介して設定情報またはユーザＩＤを取得することとしてもよい。
【００５４】
また、ＧＰＳ（Ｇｒｏｂａｌ  Ｐｏｓｉｔｉｏｎｉｎｇ  Ｓｙｓｔｅｍ）等により測位された端末Ｔの位置情報が表示装置５から所定の距離以内となったことを契機として、端末Ｔから設定情報又はユーザＩＤが送信されることとしてもよい。
【００５５】
また、取得部１１は、端末Ｔからの設定情報（第１の設定情報）及び端末Ｔから送信されたユーザＩＤに基づく設定情報（第２の設定情報）の両方を取得してもよい。この場合には、後述するように、表示制御装置１は、第１及び第２の設定情報のいずれかの設定情報に基づく表示態様で、コンテンツを表示装置５に表示させる。
【００５６】
また、取得部１１は、複数の端末Ｔの各々から設定情報又はユーザＩＤを取得することができる。
【００５７】
表示制御部１２は、端末Ｔと物理的に異なる表示装置５に表示させる少なくとも一部のコンテンツの表示態様を、取得部１１により特定された設定情報に基づいて設定する。そして、表示制御装置１は、設定された表示態様でコンテンツを表示装置５に表示させる。
【００５８】
具体的には、表示制御部１２は、ユーザによる端末の操作によって、表示装置に表示されている第１のコンテンツに関連付けて表示される第２のコンテンツを表示する場合に、当該第２のコンテンツを設定情報に基づいて変更した表示態様で表示させる。
【００５９】
本実施形態では、まず、表示制御部１２は、図５に示すように、表示装置５に商品情報記憶部２１から取得した複数の商品画像Ｍ（第１のコンテンツ）を表示させる。表示された商品画像Ｍのいずれかを指示する指示情報を端末Ｔから取得すると、表示制御部１２は、指示された商品画像Ｍに関連付けて表示されるコンテンツ（第２のコンテンツ）を設定情報に基づいて変更した表示態様で表示させる。
【００６０】
具体的には、表示制御部１２は、指示された商品画像Ｍに表された商品の商品レビュー（第２のコンテンツ）を設定情報に設定された言語で表示装置５に表示させる。なお、表示制御部１２は、履歴情報記憶部２３に記憶された履歴情報に基づくレコメンド情報を、商品レビューに代えて商品画像Ｍに関連付けて表示させることとしてもよい。この場合にも、レコメンド情報は、設定情報に基づく表示態様で表示される。
【００６１】
また、表示制御部１２は、送信部１４により端末Ｔに送信されるコンテンツの表示態様を設定情報に基づいて設定することとしてもよい。具体的には、例えば、表示制御部１２は、商品画像Ｍ（第１のコンテンツ）、指示された商品の商品レビュー（第２のコンテンツ）及び当該商品の詳細情報（第３のコンテンツ）のうちの少なくとも一つのコンテンツの表示態様を取得部１１により特定された設定情報に基づいて設定してもよい。
【００６２】
なお、履歴情報記憶部２３に記憶された履歴情報に基づくレコメンド情報が、送信部１４により端末Ｔに送信されることとしてもよい。この場合には、表示制御部１２は、取得部１１により特定された設定情報に基づいてレコメンド情報の表示態様を設定する。
【００６３】
また、端末Ｔからの設定情報及び端末Ｔから送信されたユーザＩＤに基づく設定情報の両方が取得部１１により取得された場合には、表示制御部１２は、予め設定された表示態様の選択に関する条件に基づいて、いずれかの設定情報に基づく表示態様でコンテンツを表示させる。具体的には、表示制御部１２は、複数の設定情報が取得された場合に、端末Ｔから取得された設定情報に基づいて変更した表示態様でコンテンツを表示させることとしてもよい。また、表示制御部１２は、当該端末Ｔのユーザに提示されたコンテンツの表示態様のうち、直近の所定期間内に設定された表示態様、又は直近の所定期間内に最も多く設定された表示態様でコンテンツを表示させることとしてもよい。
【００６４】
また、表示制御部１２は、複数の端末Ｔから取得された複数の設定情報に基づいて、表示装置５に表示させるコンテンツの表示態様を設定することができる。具体的には、取得部１１が表示装置５の周辺に存在する複数の端末Ｔから設定情報を取得した場合に、表示制御部１２は、複数の設定情報のそれぞれに示される複数の表示態様のうち最も多い表示態様でコンテンツを表示装置５に表示させる。
【００６５】
さらに具体的には、例えば、表示制御部１２は、図５に示される説明表示部ＭＸに表示される文章の言語を、取得された複数の設定情報のそれぞれに示される言語に関する表示態様のうち、最も多い言語に設定することができる。これにより、表示装置５を視聴可能な複数の端末Ｔのユーザのうちの、より多くのユーザに合った言語で説明表示部ＭＸの内容を表示させることが可能となる。
【００６６】
また、表示制御部１２は、複数の端末Ｔから取得された複数の設定情報に基づいて、一定の時間に複数のコンテンツを表示装置５に表示させることとしてもよい。この場合には、表示制御部１２は、複数のコンテンツの表示態様を、取得された複数の設定情報に含まれる各表示態様の割合に基づいて設定することとしてもよい。
【００６７】
具体的には、表示制御部１２は、ある一定の時間に、端末Ｔからの商品画像Ｍのいずれかを指示する指示情報の取得によらず、複数の商品レビューを表示装置５に表示させることとしてもよい。例えば、表示制御部１２は、あるタイミングから一定の時間（例えば５分間）に、商品レビューを商品画像に関連付けて、次々にポップアップさせて表示させてもよい。かかる場合に、取得部１１は、例えば、ポップアップ表示の開始時以前のあるタイミングにおいて、当該表示制御システムにアクセス（接続）している複数の端末Ｔから複数の設定情報を取得する。そして、表示制御部１２は、複数の設定情報に表示態様の設定として含まれるそれぞれの言語の割合を算出し、算出された各言語の割合を、５分間にポップアップ表示させる複数の商品レビューの言語の設定に反映させる。さらに具体的には、例えば、取得された複数の設定情報に含まれる言語の設定の割合が、日本語：６０％、英語：４０％であった場合には、表示制御部１２は、５分間に表示させる複数の商品レビューのうちの６０％の商品レビューを日本語で表示させ、４０％の表品レビューを英語で表示させる。どの商品レビューを、どの言語により表示させるかは、例えば、ランダムに決定されることとしてもよい。
【００６８】
また、表示制御部１２は、複数の商品毎のレビューや商品情報を一定時間表示させた後に、あるタイミングで表示させていた複数のレビュー等を一斉に他のレビュー等に切り替えて表示させてもよい。かかる場合に、取得部１１は、例えば、表示の切り替え時以前のあるタイミングにおいて、当該表示制御システムにアクセス（接続）している複数の端末Ｔから複数の設定情報を取得する。そして、表示制御部１２は、複数の設定情報に表示態様の設定として含まれるそれぞれの言語の割合を算出し、算出された各言語の割合を、表示切り替え後に表示させる複数の商品レビューの言語の設定に反映させる。例えば、取得された複数の設定情報に含まれる言語の設定の割合が、日本語：６０％、英語：４０％であった場合には、表示制御部１２は、表示切り替え後に表示させる複数の商品レビューのうちの６０％の商品レビューを日本語で表示させ、４０％の表品レビューを英語で表示させる。どの商品レビューを、どの言語により表示させるかは、例えば、ランダムに決定されることとしてもよい。
【００６９】
上記実施形態では、例えば、本実施形態の表示装置５を構成するデジタルサイネージが日本に設けられる場合において、通常は日本人が多くデジタルサイネージの前を通るので、商品レビュー等のコンテンツが日本語で表示される。そして、デジタルサイネージの前に英語圏からの観光客が集まってきた場合には、そのタイミングにおいて、デジタルサイネージの前にいる人に占める英語圏の観光客の割合に応じて、商品レビュー等が英語で表示される。
【００７０】
指示取得部１３は、表示制御部１２により表示装置５に表示された複数のコンテンツのうちの一のコンテンツを指定する指示情報を端末Ｔから取得する。具体的には、ユーザは、端末Ｔを操作することにより、図５に例示するように表示装置５に表示された複数の商品画像Ｍのうち、一の商品画像Ｍをカーソルにより指示することができる。カーソルによる一の商品画像Ｍの指示を示す指示情報は、ウェブサーバ３を介して表示制御装置１に送信される。指示取得部１３は、一の商品画像Ｍに対するカーソルによる指示を表す指示情報を取得する。
【００７１】
図８は、表示装置５に表示された画面の例であって、カーソルにより商品画像が指示された状態を示す図である。図８に示されるカーソルＣ１〜Ｃ３はそれぞれ、端末Ｔ１〜Ｔ３に対応するカーソルである。カーソルＣ１により商品画像Ｍ１が指示されているので、指示取得部１３は、商品画像Ｍ１を指定する指示情報を端末Ｔ１から取得する。同様に、カーソルＣ２，Ｃ３により商品画像Ｍ２，Ｍ３が指示されているので、指示取得部１３は、商品画像Ｍ２，Ｍ３を指定する指示情報を端末Ｔ２，Ｔ３から取得する。
【００７２】
そして、前述のとおり、表示制御部１２は、指示された商品画像Ｍに示される商品の商品レビューを、当該商品画像Ｍに関連付けて、取得部１１により取得された設定情報に示される表示態様（言語）で表示させる。図９は、表示装置５に表示された画面の例であって、商品レビューが商品画像に関連付けられて表示されている状態を示す図である。
【００７３】
例えば、取得部１１が、端末Ｔ１から言語に関する表示態様を設定する設定情報「Ｌ２（英語）」を取得した場合には、表示制御部１２は、商品情報記憶部２１においてカーソルＣ１により指示された商品画像Ｍ１に対応付けられている日本語の商品レビューＲ１を取得する。そして、表示制御部１２は、翻訳機能を有する所定の翻訳サーバに商品レビューＲ１を英語に翻訳させ、翻訳された商品レビューＲ１２を取得し、商品画像Ｍ１に関連付けて商品レビューＲ１２を表示画面ＤＳに表示させる。
【００７４】
また、取得部１１が、端末Ｔ２からユーザＩＤ「ＢＢＢ」を取得すると、ユーザ情報記憶部２２を参照して（図７参照）、言語に関する表示態様を設定する設定情報「Ｌ１（日本語）」を取得する。この場合には、表示制御部１２は、商品情報記憶部２１においてカーソルＣ２により指示された商品画像Ｍ２に対応付けられている日本語の商品レビューＲ２を取得する。そして、表示制御部１２は、商品画像Ｍ２に関連付けて商品レビューＲ２を表示画面ＤＳに表示させる。
【００７５】
また、取得部１１が、例えば、端末Ｔ３から言語に関する表示態様を設定する設定情報「Ｌ２（英語）」を取得した場合には、表示制御部１２は、商品情報記憶部２１においてカーソルＣ３により指示された商品画像Ｍ３に対応付けられている日本語の商品レビューＲ３を取得する。そして、表示制御部１２は、翻訳機能を有する所定の翻訳サーバに商品レビューＲ３を英語に翻訳させ、翻訳された商品レビューＲ３２を取得し、商品画像Ｍ３に関連付けて商品レビューＲ３２を表示画面ＤＳに表示させる。
【００７６】
なお、表示制御部１２は、翻訳された商品レビューを商品情報記憶部２１にキャッシュとして記憶させることとしてもよい。図６に示すように、表示制御部１２は、英訳された商品レビューＲ１２を、商品Ｍ１に対応付けてキャッシュとして記憶させる。また、表示制御部１２は、英訳された商品レビューＲ３２を商品Ｍ３に対応付けて記憶させる。表示制御部１２は、キャッシュとして記憶された商品レビューを、カーソルによる指示及び取得された設定情報に応じて、商品画像Ｍに関連付けて表示させることとしてもよい。
【００７７】
送信部１４は、表示制御部１２により表示態様を設定された第１のコンテンツ、第２のコンテンツ及び第３のコンテンツのうちの少なくとも一つのコンテンツを端末Ｔに送信する。具体的には、送信部１４は、端末Ｔからのリクエストに応じて、前述のとおり表示制御部１２により表示態様を設定された商品画像Ｍ、商品レビュー及び商品の詳細情報のうちの少なくとも一つを端末Ｔに送信する。なお、送信部１４は、表示制御部１２により表示態様を設定されたレコメンド情報を端末Ｔに送信することとしてもよい。
【００７８】
なお、本実施形態において、設定情報に示されるコンテンツの表示態様は言語の設定に関するものであるが、これには限定されない。設定情報に示される表示態様は、例えば、フォント、色に関するものであってもよい。また、端末Ｔから取得される設定情報は、端末Ｔにおけるアイコンの表示態様に関する情報であってもよい。
【００７９】
再び図４を参照して、端末Ｔの各機能部を説明する。指示入力受付部３１は、表示装置５に表示された複数の商品画像Ｍのいずれかに対する指示入力を受け付ける。具体的には、端末Ｔのユーザが端末Ｔを操作すると、その操作情報がウェブサーバ３を介して表示制御装置１に送信されることにより、表示装置５に表示されたカーソルＣの位置を移動させることができる。そして、指示入力受付部３１は、カーソルによる一の商品画像Ｍに対する指示を示す指示入力を受け付ける。
【００８０】
指示情報送信部３２は、指示入力受付部３１により受け付けられたいずれかの商品画像Ｍに対する指示入力を表す指示情報を表示制御装置１に送信する。本実施形態では、指示情報は、ウェブサーバ３を介して表示制御装置１に送信される。
【００８１】
設定情報送信部３３は、所定の契機で、端末情報記憶部３６に記憶された設定情報を表示制御装置１に送信する。所定の契機は、前述のとおり、例えば、本実施形態の表示制御システムが提供するサービスを特定する所定のＵＲＬに端末Ｔがアクセスしたとき、所定の近距離無線通信により当該表示制御システムとの通信が確立されたとき、ＧＰＳ等により測位された端末Ｔの位置情報が表示装置５から所定の距離以内の場所に含まれることとなったとき等である。なお、本実施形態では、設定情報は、ウェブサーバ３を介して表示制御装置１に送信される。
【００８２】
コンテンツ受信部３４は、表示制御装置１の送信部１４から送信されるコンテンツを受信する。受信されるコンテンツは、例えば商品画像Ｍ、商品レビュー、商品の詳細説明及びレコメンド情報等である。
【００８３】
表示制御部３５は、コンテンツ受信部により受信されたコンテンツを端末Ｔのディスプレイに表示させる。また、表示制御部３５は、表示装置５に表示された商品画像Ｍを指示するカーソルＣを操作するためのユーザインターフェース画面をディスプレイに表示させる。前述のとおり、カーソルＣの移動及びカーソルによる商品画像Ｍに対する指示入力を示す指示情報は、指示情報送信部３２により表示制御装置１に送信される。
【００８４】
表示制御部３５は、例えば、ブラウザとして実現される。表示制御部３５がブラウザとして実現される場合には、表示制御部３５は、端末Ｔにおけるコンテンツの表示態様が設定された設定情報を有している。この場合には、表示制御部３５は、表示するためのコンテンツを取得するに際して、コンテンツの送信元に対して、設定情報を送信することとしてもよい。表示制御装置１の取得部１１は、このように送信された設定情報を取得することができる。ブラウザは、コンテンツの取得に先立って設定情報を送信する機能を有しているので、この場合には、既存機能により表示制御装置１における設定情報の取得が実現されるので、本実施形態に係る表示制御システムを容易に構成できる。
【００８５】
一般的に、端末は、ウェブブラウザに表示させるウェブページの要求をウェブサーバに送信する際、既存のプロトコルに従って、ウェブブラウザに設定されている言語を特定する情報をウェブサーバに送信する。ウェブサーバにおいて１つのウェブページに対して複数の言語で記載されたページがそれぞれ用意されている場合、ウェブサーバは、ウェブページの要求と共に送信された情報によって特定された言語で記載されたウェブページを端末に提供する。
【００８６】
本実施形態では、既存のプロトコルにおける、端末からウェブサーバに対して言語を特定する情報が送信される機能を利用してもよい。すなわち、端末Ｔが、表示制御装置１及びウェブサーバ３を含む表示制御システムに、ウェブブラウザにより構成される表示制御部３５を介してアクセスするとき、つまり、最初にウェブページの要求が送信されるときに、言語を特定する情報が本実施形態における設定情報として表示制御システムに送信される。
【００８７】
端末Ｔに提供されるウェブページは、既存プロトコルに従って送信された設定情報により特定された言語で表示される。また、ユーザの指示入力に応じて表示装置５（デジタルサイネージ）に表示されるコンテンツも、既存プロトコルに従って送信された設定情報により特定された言語で表示される。これにより、本実施形態では、既存プロトコルに従って端末に提供されるウェブページの言語を特定するための情報を、デジタルサイネージに表示する言語を特定するための情報に流用できる。
【００８８】
端末情報記憶部３６は、当該端末Ｔの設定情報を記憶している記憶手段である。図１０は、端末Ｔ１の端末情報記憶部３６の構成及び記憶されているデータの例を示す図である。図１０に示すように、端末情報記憶部３６は、種々の表示態様の設定項目に対応付けて設定情報を記憶している。例えば、端末情報記憶部３６は、言語に関する表示態様として設定情報「Ｌ２」を記憶している。また、端末情報記憶部３６は、フォントサイズの設定情報「１４」を記憶している。
【００８９】
なお、本実施形態では、端末Ｔは、ブラウザを介して表示制御装置１にアクセスすることとしているので、設定情報は、ブラウザの表示態様に関する設定情報として端末情報記憶部３６に記憶されているが、本実施形態の表示制御システムに専用のアプリケーションによりアクセスする場合には、端末Ｔのオペレーティングシステム又は当該アプリケーションにおいて設定された表示態様に関する設定情報であってもよい。
【００９０】
次に、図１１を参照して、本実施形態の表示制御方法について説明する。図１１は、図２に示した表示制御装置１における表示制御方法の処理内容の例を示すフローチャートである。
【００９１】
まず、表示制御部１２は、図５に示すように、表示装置５に商品情報記憶部２１から取得した複数の商品画像Ｍを表示させる（Ｓ１）。次に、表示制御装置１は、端末Ｔからのアクセスを受け付ける（Ｓ２）。例えば、端末Ｔは、本実施形態の表示制御システムによるサービスを特定するＵＲＬに対するアクセスする。続いて、取得部１１は、端末ＴによるＵＲＬアクセスを契機として端末Ｔから送信される、表示態様に関する設定情報を取得する（Ｓ３）。この設定情報は、端末Ｔにおける言語に関する表示態様を特定する。
【００９２】
指示取得部１３は、端末Ｔからの指示情報を取得したか否かを判定する（Ｓ４）。指示情報は、表示装置５に表示された複数の商品画像Ｍのうちの一の画像の指示を示す情報である。指示情報を取得した場合には処理はステップＳ５に進められる。
【００９３】
ステップＳ５において、表示制御部１２は、商品情報記憶部２１を参照して、指示情報により指示されている商品画像に対応付けられている商品レビューを取得する（Ｓ５）。続いて、表示制御部１２は、ステップＳ５において取得した商品レビューの言語がステップＳ３において取得した設定情報に示される言語であるか否かを判定する（Ｓ６）。例えば、商品レビューの言語が日本語であって、表示態様に関する設定情報に示される言語が英語である場合には、処理はステップＳ７に進められる。一方、商品レビューの言語が日本語であって、表示態様に関する設定情報に示される言語が日本語である場合には、処理はステップＳ８に進められる。
【００９４】
ステップＳ７において、表示制御部１２は、商品レビューを所定の翻訳サーバに英訳させ、英訳された商品レビューを取得する（Ｓ７）。または、表示制御部１２は、英訳された商品レビューが商品情報記憶部２１にキャッシュとして記憶されている場合には、商品情報記憶部２１から英訳された商品レビューを取得する。
【００９５】
ステップＳ８において、表示制御部１２は、ステップＳ６において取得された商品レビューまたはステップＳ７において取得された翻訳された商品レビューを、商品画像に関連付けて、表示装置５に表示させる（Ｓ８）。
【００９６】
次に、図１２を参照して、本実施形態の表示制御方法の他の例について説明する。図１２は、表示制御装置１における表示制御方法の処理内容の他の例を示すフローチャートである。
【００９７】
ステップＳ１１〜Ｓ１２の処理は、図１１のフローチャートにおけるステップＳ１〜Ｓ２の処理と同様である。ステップＳ１３において、取得部１１は、端末ＴによるＵＲＬアクセスを契機として端末Ｔから送信される、端末ＴのユーザのユーザＩＤを取得する（Ｓ１３）。
【００９８】
ステップＳ１４〜Ｓ１５の処理は、図１１のフローチャートにおけるステップＳ４〜Ｓ５の処理と同様である。ステップＳ１６において、取得部１１は、ユーザ情報記憶部２２を参照して、ステップＳ１３において取得したユーザＩＤに対応付けられた、表示態様に関する設定情報を取得する。
【００９９】
続いて、表示制御部１２は、ステップＳ１５において取得した商品レビューの言語がステップＳ１６において取得した設定情報に示される言語であるか否かを判定する（Ｓ１７）。例えば、商品レビューの言語が日本語であって、表示態様に関する設定情報に示される言語が英語である場合には、処理はステップＳ１８に進められる。一方、商品レビューの言語が日本語であって、表示態様に関する設定情報に示される言語が日本語である場合には、処理はステップＳ１９に進められる。ステップＳ１８，Ｓ１９の処理は、図１１のフローチャートにおけるステップＳ７，Ｓ８の処理と同様である。
【０１００】
次に、図１３を参照して、コンピュータを表示制御装置１として機能させるための表示制御プログラムを説明する。表示制御プログラムＰ１は、メインモジュールｍ１０、取得モジュールｍ１１、表示制御モジュールｍ１２、指示取得モジュールｍ１３及び送信モジュールｍ１４を備える。
【０１０１】
メインモジュールｍ１０は、表示制御処理を統括的に制御する部分である。取得モジュールｍ１１、表示制御モジュールｍ１２、指示取得モジュールｍ１３及び送信モジュールｍ１４を実行することにより実現される機能はそれぞれ、図２に示される表示制御装置１の取得部１１、表示制御部１２、指示取得部１３及び送信部１４の機能と同様である。
【０１０２】
表示制御プログラムＰ１は、例えば、ＣＤ−ＲＯＭやＤＶＤ−ＲＯＭまたは半導体メモリ等の記憶媒体Ｄ１によって提供される。また、表示制御プログラムＰ１は、搬送波に重畳されたコンピュータデータ信号として通信ネットワークを介して提供されてもよい。
【０１０３】
以上説明した本実施形態の表示制御装置１、表示制御方法及び表示制御プログラムＰ１によれば、端末Ｔに表示されるコンテンツの表示態様に関する設定情報が取得され、取得された設定情報に基いて設定された表示態様のコンテンツが表示装置５に表示される。これにより、端末Ｔのユーザの手間を要さずに、そのユーザに合う表示態様のコンテンツを表示装置５に表示させることが可能となる。
【０１０４】
以上、本発明をその実施形態に基づいて詳細に説明した。しかし、本発明は上記実施形態に限定されるものではない。本発明は、その要旨を逸脱しない範囲で様々な変形が可能である。
【符号の説明】
【０１０５】
１…表示制御装置、３…ウェブサーバ、５…表示装置、１１…取得部、１２…表示制御部、１３…指示取得部、１４…送信部、２１…商品情報記憶部、２２…ユーザ情報記憶部、２３…履歴情報記憶部、３１…指示入力受付部、３２…指示情報送信部、３３…設定情報送信部、３４…コンテンツ受信部、３５…表示制御部、３６…端末情報記憶部、Ｄ１…記憶媒体、ｍ１０…メインモジュール、ｍ１１…取得モジュール、ｍ１２…表示制御モジュール、ｍ１３…指示取得モジュール、ｍ１４…送信モジュール、Ｎ…ネットワーク、Ｐ１…表示制御プログラム、Ｔ…端末。
【図１】
2016147383.tif 000003
【図２】
2016147383.tif 000004
【図３】
2016147383.tif 000005
【図４】
2016147383.tif 000006
【図５】
2016147383.tif 000007
【図６】
2016147383.tif 000008
【図７】
2016147383.tif 000009
【図８】
2016147383.tif 000010
【図９】
2016147383.tif 000011
【図１０】
2016147383.tif 000012
【図１１】
2016147383.tif 000013
【図１２】
2016147383.tif 000014
【図１３】
2016147383.tif 000015
【手続補正書】
【提出日】平成28年2月5日(2016.2.5)
【手続補正１】
【補正対象書類名】特許請求の範囲
【補正対象項目名】全文
【補正方法】変更
【補正の内容】
【特許請求の範囲】
【請求項１】
端末におけるコンテンツの表示態様に関して当該端末に設定されている設定情報を複数の前記端末の各々から取得する取得手段と、
前記端末と物理的に異なる表示装置に表示されているコンテンツを指定する指示情報を前記複数の端末の各々から取得し、前記指示情報に基づいて前記各端末に対応するカーソルを前記表示装置に表示させる指示取得手段と、
前記指示情報により指定されたコンテンツに基づいて前記表示装置に表示させる少なくとも一部のコンテンツの各々の表示態様を前記設定情報の各々に基づいて設定し、前記表示装置に該コンテンツを表示させる表示制御手段と、
を備える表示制御システム。
【請求項２】
前記表示制御手段は、ユーザによる前記端末の操作によって、前記表示装置に表示されている第１のコンテンツに関連付けて表示される第２のコンテンツを表示する場合に、当該第２のコンテンツを前記設定情報に基づいて変更した表示態様で表示させる、
請求項１に記載の表示制御システム。
【請求項３】
前記表示制御手段は、前記第１のコンテンツ、前記第２のコンテンツ及び前記第１のコンテンツに関連付けられたコンテンツであって前記表示装置に表示させる対象ではない第３のコンテンツのうちの少なくとも一つのコンテンツの表示態様を、前記設定情報に基づく表示態様に設定し、
前記表示制御手段により表示態様を設定された第１のコンテンツ、第２のコンテンツ及び第３のコンテンツのうちの少なくとも一つのコンテンツを前記端末に送信する送信手段を更に備える、
請求項２に記載の表示制御システム。
【請求項４】
前記取得手段は、前記端末から送信されるウェブページの取得の要求と共に前記端末から送信される設定情報を取得し、
前記設定情報に応じて表示態様が設定されたウェブページが前記要求に応じて前記端末に提供される、
請求項１〜３のいずれか一項に記載の表示制御システム。
【請求項５】
前記取得手段により、前記端末から第１の設定情報が取得され、前記端末から取得されたユーザの識別情報に基づき該識別情報に対応付けられた第２の設定情報が取得された場合に、
前記表示制御手段は、予め設定された表示態様の選択に関する条件に基づいて、前記第１の設定情報に基づく表示態様及び前記第２の設定情報に基づく表示態様のいずれかの表示態様でコンテンツを表示させる、
請求項１〜４のいずれか一項に記載の表示制御システム。
【請求項６】
前記取得手段は、複数の端末の各々から前記設定情報を取得し、
前記表示制御手段は、前記複数の設定情報に示される複数の表示態様のうち最も多い表示態様でコンテンツを前記表示装置に表示させる、
請求項１〜５のいずれか一項に記載の表示制御システム。
【請求項７】
前記取得手段は、複数の端末の各々から前記設定情報を取得し、
前記表示制御手段は、複数のコンテンツを前記表示装置に表示させ、前記複数のコンテンツの表示態様は、取得された複数の設定情報に含まれる各表示態様の割合に基づいて設定される、
請求項１〜５のいずれか一項に記載の表示制御システム。
【請求項８】
前記設定情報により特定される表示態様は、コンテンツを表す言語に関する、
請求項１〜７のいずれか一項に記載の表示制御システム。
【請求項９】
表示制御システムにおける表示制御方法であって、
端末におけるコンテンツの表示態様に関して当該端末に設定されている設定情報を複数の前記端末の各々から取得する取得ステップと、
前記端末と物理的に異なる表示装置に表示されているコンテンツを指定する指示情報を前記複数の端末の各々から取得し、前記指示情報に基づいて前記各端末に対応するカーソルを前記表示装置に表示させる指示取得ステップと、
前記指示情報により指定されたコンテンツに基づいて前記表示装置に表示させる少なくとも一部のコンテンツの各々の表示態様を前記設定情報の各々に基づいて設定し、前記表示装置に該コンテンツを表示させる表示制御ステップと、
を有する表示制御方法。
【請求項１０】
コンピュータを表示制御システムとして機能させるための表示制御プログラムであって、
前記コンピュータに、
端末におけるコンテンツの表示態様に関して当該端末に設定されている設定情報を複数の前記端末の各々から取得する取得機能と、
前記端末と物理的に異なる表示装置に表示されているコンテンツを指定する指示情報を前記複数の端末の各々から取得し、前記指示情報に基づいて前記各端末に対応するカーソルを前記表示装置に表示させる指示取得機能と、
前記指示情報により指定されたコンテンツに基づいて前記表示装置に表示させる少なくとも一部のコンテンツの各々の表示態様を前記設定情報の各々に基づいて設定し、前記表示装置に該コンテンツを表示させる表示制御機能と、
を実現させる表示制御プログラム。
【請求項１１】
前記取得手段は、前記端末から第１の設定情報を取得した場合には、前記端末から取得されたユーザの識別情報に基づく該識別情報に対応付けられた第２の設定情報の取得を実施しない、
請求項１〜４のいずれか一項に記載の表示制御システム。
【手続補正書】
【提出日】平成28年5月30日(2016.5.30)
【手続補正１】
【補正対象書類名】特許請求の範囲
【補正対象項目名】全文
【補正方法】変更
【補正の内容】
【特許請求の範囲】
【請求項１】
端末におけるコンテンツの表示態様に関して当該端末に設定されている設定情報を複数の前記端末の各々から取得する取得手段と、
前記端末と物理的に異なる表示装置に表示されているコンテンツを指定する指示情報を前記複数の端末の各々から取得し、前記指示情報に基づいて前記各端末に対応するカーソルを前記表示装置に表示させる指示取得手段と、
前記指示情報により指定されたコンテンツに基づいて前記表示装置に表示させる少なくとも一部のコンテンツの各々の表示態様を前記設定情報の各々に基づいて設定し、前記表示装置に該コンテンツを表示させる表示制御手段と、を備え、
前記設定情報により特定される表示態様は、コンテンツを表す言語に関し、
前記表示制御手段は、
前記表示装置に表示させるコンテンツが予め表されている言語と、前記設定情報により特定される言語とが同じではないと判定した場合に、翻訳機能を有する所定の翻訳サーバに、前記表示させるコンテンツを前記設定情報により特定される言語に翻訳させ、翻訳された前記表示させるコンテンツを前記翻訳サーバから取得し、前記表示装置に前記翻訳されたコンテンツを表示させ、
前記表示装置に表示させるコンテンツが予め表されている言語と、前記設定情報により特定される言語とが同じであると判定した場合に、前記表示させるコンテンツを前記表示装置に表示させる、
表示制御システム。
【請求項２】
前記表示制御手段は、ユーザによる前記端末の操作によって、前記表示装置に表示されている第１のコンテンツに関連付けて表示される第２のコンテンツを表示する場合に、当該第２のコンテンツを前記設定情報に基づいて変更した表示態様で表示させる、
請求項１に記載の表示制御システム。
【請求項３】
前記表示制御手段は、前記第１のコンテンツ、前記第２のコンテンツ及び前記第１のコンテンツに関連付けられたコンテンツであって前記表示装置に表示させる対象ではない第３のコンテンツのうちの少なくとも一つのコンテンツの表示態様を、前記設定情報に基づく表示態様に設定し、
前記表示制御手段により表示態様を設定された第１のコンテンツ、第２のコンテンツ及び第３のコンテンツのうちの少なくとも一つのコンテンツを前記端末に送信する送信手段を更に備える、
請求項２に記載の表示制御システム。
【請求項４】
前記取得手段は、前記端末から送信されるウェブページの取得の要求と共に前記端末から送信される設定情報を取得し、
前記設定情報に応じて表示態様が設定されたウェブページが前記要求に応じて前記端末に提供される、
請求項１〜３のいずれか一項に記載の表示制御システム。
【請求項５】
前記取得手段により、前記端末から第１の設定情報が取得され、前記端末から取得されたユーザの識別情報に基づき該識別情報に対応付けられた第２の設定情報が取得された場合に、
前記表示制御手段は、予め設定された表示態様の選択に関する条件に基づいて、前記第１の設定情報に基づく表示態様及び前記第２の設定情報に基づく表示態様のいずれかの表示態様でコンテンツを表示させる、
請求項１〜４のいずれか一項に記載の表示制御システム。
【請求項６】
前記取得手段は、複数の端末の各々から前記設定情報を取得し、
前記表示制御手段は、前記複数の設定情報に示される複数の表示態様のうち最も多い表示態様でコンテンツを前記表示装置に表示させる、
請求項１〜５のいずれか一項に記載の表示制御システム。
【請求項７】
前記取得手段は、複数の端末の各々から前記設定情報を取得し、
前記表示制御手段は、複数のコンテンツを前記表示装置に表示させ、前記複数のコンテンツの表示態様は、取得された複数の設定情報に含まれる各表示態様の割合に基づいて設定される、
請求項１〜５のいずれか一項に記載の表示制御システム。
【請求項８】
表示制御システムにおける表示制御方法であって、
端末におけるコンテンツの表示態様に関して当該端末に設定されている設定情報を複数の前記端末の各々から取得する取得ステップと、
前記端末と物理的に異なる表示装置に表示されているコンテンツを指定する指示情報を前記複数の端末の各々から取得し、前記指示情報に基づいて前記各端末に対応するカーソルを前記表示装置に表示させる指示取得ステップと、
前記指示情報により指定されたコンテンツに基づいて前記表示装置に表示させる少なくとも一部のコンテンツの各々の表示態様を前記設定情報の各々に基づいて設定し、前記表示装置に該コンテンツを表示させる表示制御ステップと、を有し、
前記設定情報により特定される表示態様は、コンテンツを表す言語に関し、
前記表示制御ステップにおいて、
前記表示装置に表示させるコンテンツが予め表されている言語と、前記設定情報により特定される言語とが同じではないと判定した場合に、翻訳機能を有する所定の翻訳サーバに、前記表示させるコンテンツを前記設定情報により特定される言語に翻訳させ、翻訳された前記表示させるコンテンツを前記翻訳サーバから取得し、前記表示装置に前記翻訳されたコンテンツを表示させ、
前記表示装置に表示させるコンテンツが予め表されている言語と、前記設定情報により特定される言語とが同じであると判定した場合に、前記表示させるコンテンツを前記表示装置に表示させる、
表示制御方法。
【請求項９】
コンピュータを表示制御システムとして機能させるための表示制御プログラムであって、
前記コンピュータに、
端末におけるコンテンツの表示態様に関して当該端末に設定されている設定情報を複数の前記端末の各々から取得する取得機能と、
前記端末と物理的に異なる表示装置に表示されているコンテンツを指定する指示情報を前記複数の端末の各々から取得し、前記指示情報に基づいて前記各端末に対応するカーソルを前記表示装置に表示させる指示取得機能と、
前記指示情報により指定されたコンテンツに基づいて前記表示装置に表示させる少なくとも一部のコンテンツの各々の表示態様を前記設定情報の各々に基づいて設定し、前記表示装置に該コンテンツを表示させる表示制御機能と、を実現させ、
前記設定情報により特定される表示態様は、コンテンツを表す言語に関し、
前記表示制御機能は、
前記表示装置に表示させるコンテンツが予め表されている言語と、前記設定情報により特定される言語とが同じではないと判定した場合に、翻訳機能を有する所定の翻訳サーバに、前記表示させるコンテンツを前記設定情報により特定される言語に翻訳させ、翻訳された前記表示させるコンテンツを前記翻訳サーバから取得し、前記表示装置に前記翻訳されたコンテンツを表示させ、
前記表示装置に表示させるコンテンツが予め表されている言語と、前記設定情報により特定される言語とが同じであると判定した場合に、前記表示させるコンテンツを前記表示装置に表示させる、
表示制御プログラム。
【請求項１０】
前記取得手段は、前記端末から第１の設定情報を取得した場合には、前記端末から取得されたユーザの識別情報に基づく該識別情報に対応付けられた第２の設定情報の取得を実施しない、
請求項１〜４のいずれか一項に記載の表示制御システム。
【手続補正書】
【提出日】平成28年11月9日(2016.11.9)
【手続補正１】
【補正対象書類名】特許請求の範囲
【補正対象項目名】全文
【補正方法】変更
【補正の内容】
【特許請求の範囲】
【請求項１】
端末におけるコンテンツの表示態様に関して当該端末に設定されている第１の設定情報を複数の前記端末の各々から取得し、前記複数の端末の各々から取得したユーザの識別情報に基づき該識別情報に対応付けられた第２の設定情報を取得する取得手段と、
前記端末と物理的に異なる表示装置に表示されているコンテンツを指定する指示情報を前記複数の端末の各々から取得し、前記指示情報に基づいて前記各端末に対応するカーソルを前記表示装置に表示させる指示取得手段と、
前記指示情報により指定されたコンテンツに基づいて前記表示装置に表示させる少なくとも一部のコンテンツの各々の表示態様を、予め設定された表示態様の選択に関する条件に基づいて、前記第１の設定情報に基づく表示態様及び前記第２の設定情報に基づく表示態様のいずれかの表示態様に設定し、前記表示装置に各コンテンツを表示させる表示制御手段と、を備え、
前記第１または第２の設定情報により特定される表示態様は、コンテンツを表す言語に関し、
前記表示制御手段は、
前記表示装置に表示させるコンテンツが予め表されている言語と、前記第１または第２の設定情報により特定される言語とが同じではないと判定した場合に、翻訳機能を有する所定の翻訳サーバに、前記表示させるコンテンツを前記第１または第２の設定情報により特定される言語に翻訳させ、翻訳された前記表示させるコンテンツを前記翻訳サーバから取得し、前記表示装置に前記翻訳されたコンテンツを表示させ、
前記表示装置に表示させるコンテンツが予め表されている言語と、前記第１または第２の設定情報により特定される言語とが同じであると判定した場合に、前記表示させるコンテンツを前記表示装置に表示させる、
表示制御システム。
【請求項２】
前記表示制御手段は、ユーザによる前記端末の操作によって、前記表示装置に表示されている第１のコンテンツに関連付けて表示される第２のコンテンツを表示する場合に、当該第２のコンテンツを前記第１または第２の設定情報に基づいて変更した表示態様で表示させる、
請求項１に記載の表示制御システム。
【請求項３】
前記表示制御手段は、前記第１のコンテンツ、前記第２のコンテンツ及び前記第１のコンテンツに関連付けられたコンテンツであって前記表示装置に表示させる対象ではない第３のコンテンツのうちの少なくとも一つのコンテンツの表示態様を、前記第１または第２の設定情報に基づく表示態様に設定し、
前記表示制御手段により表示態様を設定された第１のコンテンツ、第２のコンテンツ及び第３のコンテンツのうちの少なくとも一つのコンテンツを前記端末に送信する送信手段を更に備える、
請求項２に記載の表示制御システム。
【請求項４】
前記取得手段は、前記端末から送信されるウェブページの取得の要求と共に前記端末から送信される第１の設定情報を取得し、
前記第１の設定情報に応じて表示態様が設定されたウェブページが前記要求に応じて前記端末に提供される、
請求項１〜３のいずれか一項に記載の表示制御システム。
【請求項５】
前記取得手段は、複数の端末の各々に関する前記第１または第２の設定情報を取得し、
前記表示制御手段は、前記複数の第１または第２の設定情報に示される複数の表示態様のうち最も多い表示態様でコンテンツを前記表示装置に表示させる、
請求項１〜４のいずれか一項に記載の表示制御システム。
【請求項６】
前記取得手段は、複数の端末の各々に関する前記第１または第２の設定情報を取得し、
前記表示制御手段は、複数のコンテンツを前記表示装置に表示させ、前記複数のコンテンツの表示態様は、取得された複数の第１または第２の設定情報に含まれる各表示態様の割合に基づいて設定される、
請求項１〜４のいずれか一項に記載の表示制御システム。
【請求項７】
表示制御システムにおける表示制御方法であって、
端末におけるコンテンツの表示態様に関して当該端末に設定されている第１の設定情報を複数の前記端末の各々から取得し、前記複数の端末の各々から取得したユーザの識別情報に基づき該識別情報に対応付けられた第２の設定情報を取得する取得ステップと、
前記端末と物理的に異なる表示装置に表示されているコンテンツを指定する指示情報を前記複数の端末の各々から取得し、前記指示情報に基づいて前記各端末に対応するカーソルを前記表示装置に表示させる指示取得ステップと、
前記指示情報により指定されたコンテンツに基づいて前記表示装置に表示させる少なくとも一部のコンテンツの各々の表示態様を、予め設定された表示態様の選択に関する条件に基づいて、前記第１の設定情報に基づく表示態様及び前記第２の設定情報に基づく表示態様のいずれかの表示態様に設定し、前記表示装置に各コンテンツを表示させる表示制御ステップと、を有し、
前記第１または第２の設定情報により特定される表示態様は、コンテンツを表す言語に関し、
前記表示制御ステップにおいて、
前記表示装置に表示させるコンテンツが予め表されている言語と、前記第１または第２の設定情報により特定される言語とが同じではないと判定した場合に、翻訳機能を有する所定の翻訳サーバに、前記表示させるコンテンツを前記第１または第２の設定情報により特定される言語に翻訳させ、翻訳された前記表示させるコンテンツを前記翻訳サーバから取得し、前記表示装置に前記翻訳されたコンテンツを表示させ、
前記表示装置に表示させるコンテンツが予め表されている言語と、前記第１または第２の設定情報により特定される言語とが同じであると判定した場合に、前記表示させるコンテンツを前記表示装置に表示させる、
表示制御方法。
【請求項８】
コンピュータを表示制御システムとして機能させるための表示制御プログラムであって、
前記コンピュータに、
端末におけるコンテンツの表示態様に関して当該端末に設定されている第１の設定情報を複数の前記端末の各々から取得し、前記複数の端末の各々から取得したユーザの識別情報に基づき該識別情報に対応付けられた第２の設定情報を取得する取得機能と、
前記端末と物理的に異なる表示装置に表示されているコンテンツを指定する指示情報を前記複数の端末の各々から取得し、前記指示情報に基づいて前記各端末に対応するカーソルを前記表示装置に表示させる指示取得機能と、
前記指示情報により指定されたコンテンツに基づいて前記表示装置に表示させる少なくとも一部のコンテンツの各々の表示態様を、予め設定された表示態様の選択に関する条件に基づいて、前記第１の設定情報に基づく表示態様及び前記第２の設定情報に基づく表示態様のいずれかの表示態様に設定し、前記表示装置に各コンテンツを表示させる表示制御機能と、を備え、
前記第１または第２の設定情報により特定される表示態様は、コンテンツを表す言語に関し、
前記表示制御機能は、
前記表示装置に表示させるコンテンツが予め表されている言語と、前記第１または第２の設定情報により特定される言語とが同じではないと判定した場合に、翻訳機能を有する所定の翻訳サーバに、前記表示させるコンテンツを前記第１または第２の設定情報により特定される言語に翻訳させ、翻訳された前記表示させるコンテンツを前記翻訳サーバから取得し、前記表示装置に前記翻訳されたコンテンツを表示させ、
前記表示装置に表示させるコンテンツが予め表されている言語と、前記第１または第２の設定情報により特定される言語とが同じであると判定した場合に、前記表示させるコンテンツを前記表示装置に表示させる、
表示制御プログラム。
【請求項９】
前記取得手段は、前記端末から第１の設定情報を取得した場合には、前記端末から取得されたユーザの識別情報に基づく該識別情報に対応付けられた第２の設定情報の取得を実施しない、
請求項１〜４のいずれか一項に記載の表示制御システム。
【国際調査報告】
2016147383.tif 000016
2016147383.tif 000017
2016147383.tif 000018
2016147383.tif 000019